(57)【要約】【課題】振動方向に関して特別な制約を受けることなく、インク容器と蓋とを適確に振動溶着することができるインクタンク、インクタンク一体の記録ヘッド、および、それらの製造方法を提供すること。【解決手段】インク容器１１の開口縁部３４と対向する蓋１２の裏面に、溶着リブ３１と共に溝３２を設ける。インク容器１１と蓋１２との振動溶着時に、溶着リブ３１を溶解させ、その溶解部分３１Ａの一部を溝３２内に入り込ませる。【選択図】図６
2009248427.tif 000002
【特許請求の範囲】
【請求項１】
インクを収容可能なインク収容空間を形成するインク容器の開口縁部に、蓋が振動溶着されるインクタンクにおいて、
前記インク容器の開口縁部と前記蓋との対向面部の一方に、前記振動溶着によって溶解される溶着リブと、当該溶着リブの近傍に位置する溝と、を設けたことを特徴とするインクタンク。
【請求項２】
前記溝は、少なくとも、前記振動溶着時の振動方向に沿って延在する前記溶着リブの部分の近傍位置に設けることを特徴とする請求項１に記載のインクタンク。
【請求項３】
前記溝は、少なくとも、前記振動溶着時の振動方向と直交する方向に延在する前記溶着リブの部分の近傍位置に設けることを特徴とする請求項１に記載のインクタンク。
【請求項４】
前記溝は、少なくとも、前記溶着リブよりも前記インク収容空間に近い位置、または前記溶着リブよりも前記インク収容空間から遠い位置の一方に設けることを特徴とする請求項１から３のいずれかに記載のインクタンク。
【請求項５】
前記溶着リブは、前記インク容器の開口縁部に沿うように前記対向面部の一方に四角枠状に設け、
前記溝は、少なくとも、前記溶着リブの外側の近傍位置または内側の近傍位置の一方に設ける
ことを特徴とする請求項１から４のいずれかに記載のインクタンク。
【請求項６】
インクを収容可能なインク収容空間を形成するインク容器に、前記インク収容空間内のインクを吐出可能なノズルを備えた記録素子基板が取付けられ、前記インク容器の開口縁部に蓋が振動溶着される記録ヘッドにおいて、
前記インク容器の開口縁部と前記蓋との対向面部の一方に、前記振動溶着によって溶解される溶着リブと、当該溶着リブの近傍に位置する溝と、を設けたことを特徴とする記録ヘッド。
【請求項７】
前記溝は、少なくとも、前記振動溶着時の振動方向に沿って延在する前記溶着リブの部分の近傍位置に設けることを特徴とする請求項６に記載の記録ヘッド。
【請求項８】
前記溝は、少なくとも、前記振動溶着時の振動方向と直交する方向に延在する前記溶着リブの部分の近傍位置に設けることを特徴とする請求項６に記載の記録ヘッド。
【請求項９】
前記溝は、少なくとも、前記溶着リブよりも前記インク収容空間に近い位置、または前記溶着リブよりも前記インク収容空間から遠い位置の一方に設けることを特徴とする請求項６から８のいずれかに記載の記録ヘッド。
【請求項１０】
前記溶着リブは、前記インク容器の開口縁部に沿うように前記対向面部の一方に四角枠状に設け、
前記溝は、少なくとも、前記溶着リブの外側の近傍位置または内側の近傍位置の一方に設ける
ことを特徴とする請求項６から９のいずれかに記載の記録ヘッド。
【請求項１１】
前記記録素子基板は、前記振動溶着時の振動方向に延在するように前記インク容器に取付けられることを特徴とする請求項６から１０のいずれかに記載の記録ヘッド。
【請求項１２】
インクを収容可能なインク収容空間を形成するインク容器の開口縁部に、蓋が振動溶着されるインクタンクの製造方法において、
前記振動溶着時に、前記インク容器の開口縁部と前記蓋との対向面部の一方に設けた溶着リブを溶解させ、かつ前記溶着リブの溶解した部分の一部を、前記溶着リブの近傍に位置するように前記対向面部の一方に設けた溝内に入り込ませる
ことを特徴とするインクタンクの製造方法。
【請求項１３】
インクを収容可能なインク収容空間を形成するインク容器に、前記インク収容空間内のインクを吐出可能なノズルを備えた記録素子基板が取付けられ、前記インク容器の開口縁部に蓋が振動溶着される記録ヘッドの製造方法において、
前記振動溶着時に、前記インク容器の開口縁部と前記蓋との対向面部の一方に設けた溶着リブを溶解させ、かつ前記溶着リブの溶解した部分の一部を、前記溶着リブの近傍に位置するように前記対向面部の一方に設けた溝内に入り込ませる
ことを特徴とする記録ヘッドの製造方法。
【発明の詳細な説明】
【技術分野】
【０００１】
本発明は、インクを収容可能なインクタンク、インクタンク一体の記録ヘッド、および、それらの製造方法に関するものである。
【背景技術】
【０００２】
インクジェット方式による記録技術は、ランニングコストが安く、静かな記録方法として注目されている。インクジェット記録装置には、インクを吐出する記録ヘッドと、記録ヘッドにインクを供給するためのインクタンクと、が用いられる。記録ヘッドには、インクを吐出可能なノズルが形成された記録チップが備えられている。
【０００３】
市場には、記録ヘッドとインクタンクとが一体に構成されたインクジェットカートリッジ（インクタンク一体の記録ヘッド）と、それらが別体に構成されたものがある。それらを別体に構成した場合には、インクタンク内のインクが無くなったときに、記録ヘッドは交換せずに、インクタンクのみを交換することができる。また、それらを一体に構成したインクジェットカートリッジの場合には、記録ヘッド部とインクタンク部とを接続するための部材を記録装置に備える必要がなく、記録装置の構造の大幅な簡略化が可能となり、そのコストダウンおよび小型化が容易となる。インクジェットカートリッジの場合には、その生産工程において不良が発生すると、インクタンク部だけではなく、記録ヘッド部も共に廃却されることになるため、損失額が大きくなる。よって、インクジェットカートリッジの場合には、より高い生産歩留まりが求められる。
【０００４】
特許文献１には、インクタンクを構成するインク容器と蓋とを振動溶着するための技術が開示されている。そのインク容器の底面には、記録ヘッドを構成する記録素子基板（記録チップ）が備えられている。したがって記録ヘッドは、インクタンクと一体のインクジェットカートリッジを構成する。記録素子基板に対して鉛直方向の振動を加えた場合には、その記録素子基板が破損するおそれがあるため、蓋の溶着時に加える振動の方向は、記録素子基板の延在方向、つまり、その表面に対して平行であることが好ましい。
【０００５】
ここで、溶着面と平行な面において振動する振動溶着（以後、「横振動」と称す）について説明する。インク容器または蓋の溶着面には溶着リブが設けられており、蓋をインク容器側に押し付ける方向に圧力を加えながら横振動を加えることにより、その溶着リブが摩擦熱により溶解する。その溶着リブが所定の高さ分だけ溶けた時点にて、横振動を停止して、圧力を加えたまま所定の時間保持することにより、溶解した樹脂の部分が冷却・固化して、インク容器と蓋とが溶着される。しかし、このような横振動による振動溶着において、まれに溶着不良が発生する場合がある。その溶着不良のモードとしては、主に第１および第２の２つ不良モードがある。
【０００６】
第１の不良モードは、インク容器と蓋によって形成されるインク収容室からのインクのリークである。インク収容室に、細いＰＰ繊維を積層させた多孔質部材から成る吸収体を挿入する場合には、インク収容室よりも数倍大きい吸収体が圧縮して挿入されることになる。その吸収体を予め圧縮した形態に成形した場合には、物流コストを削減することができる。しかし、予め圧縮した形態の吸収体は、それを形成する繊維同士の結びつきが強くなるため、吸収体を変形させた場合の反発力も大きくなる。蓋の内側には、吸収体がインク収容室内で移動しないように、吸収体をある程度押圧する吸収体押さえリブが設けられている。蓋の振動溶着時における吸収体からの反発力は、予め圧縮した形態の吸収体は、予め圧縮されていない形態の吸収体に比べて大きくなる。吸収体の反発力が大きくなった場合には、溶解した溶着リブの樹脂が部分的に破壊されて、インク収納室の密閉性が損なわれるおそれがある。
【０００７】
第２の不良モードは、振動溶着時に溶解した樹脂のインク容器の外側へのはみ出しである。このような樹脂のはみ出しにより溶着バリが生じた場合には、インクタンクの外観が損なわれたり、インクタンクをインクジェット記録装置に装着する際に干渉して装着不良を招くおそれがある。
【０００８】
特許文献２には、インク容器と蓋との溶着時に発生する樹脂のはみ出しを防止するための構成が開示されている。具体的には、インク容器と蓋の対向部の一方側に溝が形成され、他方側には、その溝にはまり込むような凸部が形成されており、溶解した樹脂（溶着バリ）が溝内に溜まるようになっている。
【０００９】
【特許文献１】特開２００６−４４２３０号公報
【特許文献２】特開２００２−１２０３８３号公報
【発明の開示】
【発明が解決しようとする課題】
【００１０】
しかしながら、特許文献２のように、インク容器と蓋との対向部に互いにはまり合う溝と凸部を形成した場合には、振動溶着時に、それらの溝と凸部とが緩衝するおそれがある。そのため、それらの溝と凸部との関係から、振動溶着時の振動方向が規制されることがある。特に、特許文献１のインクタンク一体の記録ヘッドのように、振動溶着時の振動方向を記録素子基板の延在方向に設定する必要がある場合には、そのような要求に応えられなくなるおそれがある。仮に、振動方向が記録素子基板に対して垂直な方向に規制された場合には、記録素子基板の破損を招くおそれがある。したがって、インクタンク一体の記録ヘッドの高い生産歩留まりを確保することが難しかった。
【００１１】
本発明の目的は、振動方向に関して特別な制約を受けることなく、インク容器と蓋とを適確に振動溶着することができるインクタンク、インクタンク一体の記録ヘッド、および、それらの製造方法を提供することにある。
【課題を解決するための手段】
【００１２】
本発明のインクタンクは、インクを収容可能なインク収容空間を形成するインク容器の開口縁部に、蓋が振動溶着されるインクタンクにおいて、前記インク容器の開口縁部と前記蓋との対向面部の一方に、前記振動溶着によって溶解される溶着リブと、当該溶着リブの近傍に位置する溝と、を設けたことを特徴とする。
【００１３】
本発明の記録ヘッドは、インクを収容可能なインク収容空間を形成するインク容器に、前記インク収容空間内のインクを吐出可能なノズルを備えた記録素子基板が取付けられ、前記インク容器の開口縁部に蓋が振動溶着される記録ヘッドにおいて、前記インク容器の開口縁部と前記蓋との対向面部の一方に、前記振動溶着によって溶解される溶着リブと、当該溶着リブの近傍に位置する溝と、を設けたことを特徴とする。
【００１４】
本発明のインクタンクの製造方法は、インクを収容可能なインク収容空間を形成するインク容器の開口縁部に、蓋が振動溶着されるインクタンクの製造方法において、前記振動溶着時に、前記インク容器の開口縁部と前記蓋との対向面部の一方に設けた溶着リブを溶解させ、かつ前記溶着リブの溶解した部分の一部を、前記溶着リブの近傍に位置するように前記対向面部の一方に設けた溝内に入り込ませることを特徴とする。
【００１５】
本発明の記録ヘッドの製造方法は、インクを収容可能なインク収容空間を形成するインク容器に、前記インク収容空間内のインクを吐出可能なノズルを備えた記録素子基板が取付けられ、前記インク容器の開口縁部に蓋が振動溶着される記録ヘッドの製造方法において、前記振動溶着時に、前記インク容器の開口縁部と前記蓋との対向面部の一方に設けた溶着リブを溶解させ、かつ前記溶着リブの溶解した部分の一部を、前記溶着リブの近傍に位置するように前記対向面部の一方に設けた溝内に入り込ませることを特徴とする。
【発明の効果】
【００１６】
本発明によれば、インク容器の開口縁部と蓋との対向面部の一方に溶着リブと共に溝を設け、振動溶着時に、溶着リブを溶解させて、その一部を溝内に入り込ませることにより、溶着リブの溶解部分がはみ出ることによる溶着バリの発生を防止することができる。これにより、振動方向に関して特別な制約を受けることなく、インク容器と蓋とを確実に溶着して、インクタンクおよびインクタンク一体の記録ヘッドの生産歩留まりを高めることができる。
【発明を実施するための最良の形態】
【００１７】
以下、本発明の実施形態について図面を参照して説明する。
【００１８】
（第１の実施形態）
図１から図６は、本発明の第１の実施形態を説明するための図である。
【００１９】
図１は、本発明の記録ヘッドを用いることが可能なインクジェット記録装置の構成例を説明するための模式図である。本例の記録装置は、矢印Ｘの主走査方向における第１および第２の記録ヘッドＨ１，Ｈ２の往復移動（主走査）と、主走査方向と交差（本例の場合は直交）する矢印Ｙの副走査方向における記録媒体１０８の搬送（副走査）と、を繰り返す。記録ヘッドＨ１，Ｈ２は、主走査方向に移動しつつインクを吐出することにより、記録媒体１０８にインクのドットを形成して、文字や記号などの画像を記録する。本例の記録装置は、いわゆるシリアルスキャンタイプの記録装置である。
【００２０】
第１および第２の記録ヘッドＨ１，Ｈ２は、キャリッジ１０２に着脱可能に搭載される。キャリッジ１０２は、ガイドシャフト１０３に摺動自在に支持され、モータ１０４の駆動力により、ガイドシャフト１０３に沿って主走査方向に往復移動される。モータ１０４の駆動力は、プーリ１０５，１０６の間に掛け渡されたベルト１０７を介してキャリッジ１０２に伝達される。記録媒体１０８は、搬送ローラ１０９によって、第１および第２の記録ヘッドＨ１，Ｈ２における吐出口の形成面（吐出口面）と対向する記録位置を通って副走査方向に搬送される。搬送ローラ１０９は、モータ１３４によって回転駆動される。
【００２１】
第１および第２の記録ヘッドＨ１，Ｈ２は、いわゆるカートリッジ方式の記録ヘッドであり、キャリッジ１０２に対して着脱可能である。また、これらの記録ヘッドＨ１，Ｈ２は、インクタンクと一体のインクジェットカートリッジを構成しており、インクタンク内のインクが消費されて無くなった場合には、交換することができる。第１の記録ヘッドＨ１のインクタンク内にはブラックインクが充填され、第２の記録ヘッドＨ２のインクタンク内には、複数のカラーインクが分けて充填されている。
【００２２】
以下、第１の記録ヘッドＨ１を代表して、本例の記録ヘッドの構成を説明する。
【００２３】
図２（ａ），（ｂ）は、記録ヘッドＨ１を異なる方向から見た斜視図である。インク容器１１は、インクを収容可能なインク収容空間を形成するものであり、その上側の開口部に蓋１２が溶着されることによってインクタンクを構成する。そのインク容器１１には、インクタンク内のインクを吐出するための記録素子基板２０と、電気配線テープ１４と、が備えられている。記録ヘッドＨ１がキャリッジ１０２に搭載されたときに、記録素子基板２０が電気配線テープ１４を介して記録装置側に電気的に接続される。
【００２４】
図３（ａ）は、インク容器１１、記録素子基板２０、および電気配線テープ１４の分解斜視図である。図３（ｂ）は、インク容器１１と蓋１２の分解斜視図であり、インク容器１１の内部にはフィルタ１５とインク吸収体１６が収容される。後述するように。蓋１２には細口１７と微細溝１８が形成され、また蓋１２の表面にはシール部材１９が貼り付けられる。
【００２５】
図４は、記録素子基板２０の一部を破断した斜視図であり、同図中の下側部分がインク容器１１側に取り付けられる。Ｓｉ基板（シリコン基板）２１には、長溝状のインク供給口２１Ａが貫通形成されており、そのインク供給口２１Ａの図４中の下側部分がインク容器１１内に連通する。インク供給口２１Ａの両側には、電気熱変換素子（ヒータ）２２がそれぞれ１列ずつ配列されている。プレート２３には、それぞれの電気熱変換素子２２に対応する吐出口２３Ａが形成されている。電気熱変換素子２２および吐出口２３Ａを含めて「ノズル」ともいう。インク供給口２１Ａを通してインク容器１１から供給されたインクは、電気熱変換素子２２の発熱によって発泡され、その発泡エネルギーを利用して対応する吐出口２３Ａから吐出される。また基板２１には、電気熱変換素子２２を駆動するための電気信号などを供給するための電極部２４が設けられている。
【００２６】
インク容器１１は、例えば、樹脂材料により成形されている。その内部に備わるインク吸収体１６（図３（ｂ）参照）は、インクを保持して負圧を発生する。インク容器１１は、このようなインク吸収体１６を備えることにより、負圧を付与したインクを供給するインクタンクとして機能する。ＰＰ（ポリプロピレン）繊維により形成されるインク吸収体１６は、インク容器１１内におけるインク吸収体１６の収容室よりも少し大きめの直方体に予め圧縮されている。そのインク吸収体１６は、さらに圧縮されてインク容器１１内に挿入される。インク吸収体１６を予め圧縮する割合を高くすればするほど、インク吸収体の物流コストを小さくすることができる。しかし、予め圧縮する割合を高くした場合には、ＰＰ繊維同士の結合が強くなるため、それが押されたときの反発力は大きくなる。
【００２７】
フィルタ１５（図３（ｂ）参照）は、例えば、ＳＵＳ金属繊維を焼結したフィルタであり、記録素子基板２０内へのゴミの進入を防ぐために、記録素子基板２０とインク吸収体１６との間のインク流路中に溶着により取り付けられている。そのインク流路とインク供給口２１Ａとが連通するように、インク容器１１に対して記録素子基板２０が精度よく接着固定される。また、インク容器１１における記録素子基板２０の周囲の平面には、電気配線テープ１４の裏面が接着固定される。記録素子基板２０と電気配線テープ１４との電気的な接続部分は、封止されることにより、インクによる腐食や外的衝撃から保護されている。電気配線テープ１４の未接着部分は、折り曲げられてから、インク容器１１の側面、つまり記録素子基板２０の接着面に対してほぼ垂直な側面に、熱カシメもしくは接着等によって固定される。
【００２８】
蓋１９は、インク容器１１の上部開口部に振動溶着されることにより、インク容器１１の内部を密閉する。蓋１９には、インク容器１１内の変動圧力を逃がすための細口１７と、それに連通する微細溝１８が形成されている。さらに、微細溝１８の一端部を残して、微細溝１８のほとんどと細口１７がシール部材１９によって覆われている。細口１７は、微細溝１８とシール部材１９との間に形成される連通路と共に、インク容器１１の内部と外部との間を連通する大気連通口を形成する。また蓋１９には、記録ヘッドＨ１をキャリッジ１０２に固定するための係合部１３が設けられている。
【００２９】
図５は、蓋１２をインク容器１１側から観た図、つまり蓋１２を裏側から観た斜視図である。
【００３０】
インク容器１１の上側開口部に振動溶着される蓋１２の内面には、その振動溶着により溶解・固化する溶着リブ３１が四角枠状に形成されている。また、溶着リブ３１の外周に沿って、溝３２が形成されている。つまり、環状の溶着リブ３１の外側に隣接するように、環状の溝３２が形成されている。蓋１２の内側には、吸収体１６が動かないように、それをある程度押すための押圧リブが形成されている。本例の場合は、その押圧リブとして、比較的長いリブ３３Ａ、比較的短いリブ３３Ｂ、およびＴ字状のリブ３３Ｃが形成されている。また本例において、溶着リブ３１は、幅が０．７ｍｍ、高さが０．８ｍｍであり、また溝３２は、幅が０．６ｍｍ、深さが０．３ｍｍである。
【００３１】
図６（ａ），（ｂ）は、蓋１２とインク容器１１とを振動溶着するときの様子の説明図である。図６（ａ）は振動溶着前の状態を示し、図６（ｂ）は振動溶着後の状態を示す。振動溶着の際には、図６（ａ）のように、蓋１２をインク容器１１側に押し付けるように、つまり蓋１２の溶着リブ３１をインク容器１１の開口縁部３４に押し付けるように、蓋１２を矢印Ａ方向に押しながら、蓋１２に矢印Ｓ方向に振動を加える。矢印Ｓ方向の振動は、蓋１２とインク容器１１との溶着面に対して平行な面内における横振動である。また矢印Ｓの振動方向は、記録素子基板２０の延在方向、つまり、その表面に対して平行である。このような横振動を加えることにより、図６（ｂ）中の３１Ａのように溶着リブ３１が摩擦熱により溶解し、その溶解部分３１Ａの一部が溝３２内に入り込む。所定の高さ分ｈの溶着リブ３１が溶解した時点にて横振動を停止させ、矢印Ａ方向の圧力を加えたまま所定時間保持する。これにより、溶着リブ３１の溶解部分３１Ａが冷却・固化して、インク容器１１と蓋１２とが溶着される。
【００３２】
溶着リブ３１の溶解に伴って、蓋１２とインク容器１１との対向間隔は狭くなる。溶着リブ３１の溶解部分３１Ａの一部は、そのように狭くなる対向間隔内に挟み込まれることなく、溝３２内に入り込む。蓋１２とインク容器１１との対向間隔内に溶解部分３１Ａの全部が挟み込また場合には、その溶解部分３１Ａに、蓋１２とインク容器１１とを引き離す方向に作用する大きな反発力が発生するおそれがある。しかし本例のように、その溶解部分３１Ａの一部が溝３２内に入り込むことにより、そのような反発力の発生は小さく抑えられる。また、溶解部分３１Ａの一部が溝３２内に収容されるため、それが外側にはみ出ることを防止することができる。したがって、記録装置に対する記録ヘッドＨ１の装着時に、その装着を阻害するような干渉が生じるおそれがない。
【００３３】
本例においては、横振動の振幅を１．２ｍｍ、周波数を３００Ｈｚとし、溶着リブ３１の溶解高さｈを０．５ｍｍとし、溶着リブ３１の溶解後の冷却時間を０．３ｓｅｃとした。溶着リブ３１が０．５ｍｍの高さ分だけ溶解するのに要した時間は、０．３ｓｅｃであった。
【００３４】
（比較例）
図１０（ａ），（ｂ）は、インク容器と蓋との振動溶着の比較例の説明図である。この比較例においては、蓋１２に溝３２が形成されていない。
【００３５】
図１０（ａ）は振動溶着前の状態を示し、図１０（ｂ）は振動溶着後の状態を示す。振動溶着の際には、図１０（ａ）のように、蓋１２をインク容器１１側に押し付けるように、つまり蓋１２の溶着リブ３１をインク容器１１の開口縁部３４に押し付けるように、蓋１２を矢印Ａ方向に押しながら、蓋１２に矢印Ｓ方向に振動を加える。このような横振動を加えることにより、図１０（ｂ）中の３１Ａのように溶着リブ３１が摩擦熱により溶解する。そして、所定の高さ分ｈの溶着リブ３１が溶解した時点にて横振動を停止させ、矢印Ａ方向の圧力を加えたまま所定時間保持する。これにより、溶着リブ３１の溶解部分３１Ａが冷却・固化して、インク容器１１と蓋１２とが溶着される。
【００３６】
横振動を加える振動溶着時には、図１０（ｂ）のように、溶着リブ３１の溶解に伴って狭くなる蓋１２とインク容器１１との対向間隔Ｋ内に、溶着リブ３１の溶解部分３１Ａが詰まってくる。溶解部分３１Ａは、その外側の冷却・固化が進行するため、対向間隔Ｋが狭まることに対する反発力、つまり蓋１２とインク容器１１とを引き離す方向に作用する反発力が大きく発生するおそれがある。その場合には、所定の高さｈ分だけ溶着リブ３１が溶けるまでの時間が増加して、振動を加える時間が長くなり、その分、蓋１２とインク容器１１の溶着部に発生する熱量が増加する。その熱量の増加により、所定の冷却時間内に溶解部分３１Ａが固化できなくなり、インク吸収体１６（図３参照）の反発力によって、溶着部に微細な隙間が発生するおそれがある。そのような微細な隙間が発生した場合には、インク容器１１内に収容したインクが外部にリークするおそれがある。
【００３７】
この比較例においては、振動の振幅を１．２ｍｍ、周波数を３００Ｈｚとし、溶着リブ３１の溶解高さｈ０．７ｍｍとし、冷却時間を０．３ｓｅｃとした。溶着リブ３１が高さ０．５ｍｍ分だけ溶解するまでの時間は、１．８ｓｅｃであった。
【００３８】
図１１（ａ），（ｂ）は、インク容器と蓋との振動溶着の他の比較例の説明図である。この比較例においても、蓋１２には溝３２が形成されていない。図１１（ａ）は振動溶着前の状態を示し、図１１（ｂ）は振動溶着後の状態を示す。
【００３９】
横振動を加える振動溶着時に、図１０（ｂ）のように、溶着リブ３１の溶解に伴って狭くなる蓋１２とインク容器１１との対向間隔Ｋ内に、溶着リブ３１の溶解部分３１Ａが収まりきらなくたった場合には、その溶解部分３１Ａの一部が外側にはみ出る。そのはみ出た溶解部分３１Ａの部分は、溶着バリとなる。
【００４０】
（第２の実施形態）
第１の実施形態においては、溶着リブ３１と溝３２が蓋１２側に設けられている。本実施形態においては、図７（ａ），（ｂ）のように、インク容器１１側に溶着リブ３１と溝３２を設けた。本実施形態においても同様の効果が得られる。
【００４１】
図７（ａ）は振動溶着前の状態を示し、図７（ｂ）は振動溶着後の状態を示す。振動溶着の際には、前述した実施形態と同様に、図７（ａ）のように蓋１２をインク容器１１側に押し付けながら、蓋１２に矢印Ｓ方向の横振動を加える。このような横振動を加えることにより、図７（ｂ）中の３１Ａのように溶着リブ３１が摩擦熱により溶解し、その溶解部分３１Ａの一部が溝３２内に入り込む。所定の高さ分ｈの溶着リブ３１が溶解した時点にて横振動を停止させ、矢印Ａ方向の圧力を加えたまま所定時間保持する。これにより、溶着リブ３１の溶解部分３１Ａが冷却・固化して、インク容器１１と蓋１２とが溶着される。
【００４２】
溶着リブ３１の溶解部分３１Ａの一部は、前述した実施形態と同様に、蓋１２とインク容器１１との対向間隔内に挟み込まれることなく、溝３２内に入り込む。このように、溶解部分３１Ａの一部が溝３２内に入り込むことにより、蓋１２とインク容器１１とを引き離す方向に作用する反発力の発生が抑えられる。また、溶解部分３１Ａの一部が溝３２内に収容されるため、それが外側にはみ出ることを防止することができる。したがって、記録装置に対する記録ヘッドＨ１の装着時に、その装着を阻害するような干渉が生じるおそれがない。
【００４３】
本例においては、横振動の振幅を１．２ｍｍ、周波数を３００Ｈｚとし、溶着リブ３１の溶解高さｈを０．５ｍｍとし、溶着リブ３１の溶解後の冷却時間を０．３ｓｅｃとした。溶着リブ３１が０．５ｍｍの高さ分だけ溶解するのに要した時間は、０．３ｓｅｃであった。
【００４４】
（第３の実施形態）
前述した実施形態においては、溝３２が溶着リブ３１の全周にわたって設けられている。しかし、溝３２を環状ではなく、環状の溶着リブ３１に対して部分的に隣接するように設けてもよく、この場合にも同様の効果が得られる。
【００４５】
溶着リブ３１に対して部分的に隣接するように溝３２を設ける場合には、例えば、図８（ａ），（ｂ），（ｃ），（ｄ）のように、溶着リブ３１と溝３２を蓋１２に形成することができる。
【００４６】
図８（ａ）の場合には、振動溶着時における矢印Ｓの振動方向に対して直交する蓋１２の２つの辺部分１２Ａのみに、溶着リブ３１の外側に隣接する溝３２が形成されている。つまり溝３２は、矢印Ｓの振動方向と直交する方向に延在する溶着リブ３１の部分の外側（溶着リブ３１よりもインク収容空間から遠い位置）に設けられている。図８（ｂ）の場合には、矢印Ｓの振動方向に沿う蓋１２の２つの辺部分１２Ｂのみに、溶着リブ３１の外側に隣接する溝３２が形成されている。つまり溝３２は、矢印Ｓの振動方向に沿って延在する溶着リブ３１の部分の外側（溶着リブ３１よりもインク収容空間から遠い位置）に設けられている。
【００４７】
振動方向と直交方向に延在する辺部分１２Ａにおいては、一般に、振動溶着時に溶着バリがより広範囲に拡がる傾向がある。そのため辺部分１２Ａには、溶着バリによる反発力、つまり、蓋１２とインク容器１１とを引き離す方向に作用する反発力は、比較的小さい。一方、振動方向と平行に延在する辺部分１２Ｂにおいては、辺部分１２Ａに比べて溶着バリはそれほど広い範囲には拡がらない。そのため、辺部分１２Ｂには、溶着バリによる反発力が比較的大きい。したがって、図８（ａ）のように形成された溝３２は、溶着バリの発生防止に関しての効果が大きく、反発力の低減に関しての効果は小さい。逆に、図８（ｂ）のように形成された溝３２は、溶着バリの発生防止に関して効果は小さく、反発力の低減に関しての効果は大きい。
【００４８】
図８（ｃ）の場合には、矢印Ｓの振動方向に対して直交する蓋１２の２つの辺部分１２Ａの内の一方のみに、溶着リブ３１の外側に隣接する溝３２が形成されている。図８（ｄ）の場合には、矢印Ｓの振動方向に沿う蓋１２の２つの辺部分１２Ｂの内の一方のみに、溶着リブ３１の外側に隣接する溝３２が形成されている。これらの図８（ｃ），（ｄ）の場合にでも、溝３２は、それが設けられた部分において同様の効果を発揮することができる。
【００４９】
（第４の実施形態）
溝３２は、溶着リブ３１の内側、つまり溶着リブ３１よりもインク収納空間側に設けてもよい。
【００５０】
図９は、蓋１２に対する溶着リブ３１と溝３２の形成例を示し、環状の溶着リブ３１の内側に隣接するように環状の溝３２が形成されている。つまり溝３２は、溶着リブ３１よりもインク収容空間から遠い位置に設けられている。このように、溶着リブ３１によって囲まれるインク収納空間側に溝３２を設けることにより、蓋１２やインク容器１２から離脱した溶着バリのインク容器１２内への侵入を防止して、その溶着バリが及ぼす悪影響を回避することができる。
【００５１】
（他の実施形態）
本発明は、インクを収容可能なインク収容空間を形成するインク容器の開口縁部に、蓋が振動溶着される種々のインクタンク対して、広く適用することができる。したがって、インク収容空間内に収容されるインクの種類は特定されず、例えば、インク収容空間内に異なる色のインクを分けて収容してもよい。また本発明は、インク以外の液体（例えば、薬液など）を収容するための収納容器としても適用することができる。
【００５２】
また本発明は、インクを収容可能なインク収容空間を形成するインク容器に、インク収容空間内のインクを吐出可能なノズルを備えた記録素子基板が取付けられ、インク容器の開口縁部に蓋が振動溶着される種々の記録ヘッドに対して、広く適用することができる。したがって、記録素子基板のノズルによって吐出するインクの種類は特定されず、例えば、記録素子基板に異なるインクを吐出するためのノズルを備えてもよい。また、インクを吐出するためのエネルギーを発生する吐出エネルギー発生素子としては、電気熱変換素子の他、ピエゾ素子などを用いることもできる。
【００５３】
また、インク容器の開口縁部と蓋との対向面部の一方に、振動溶着によって溶解される溶着リブと、その溶着リブの近傍に位置する溝と、を設ければよく、それらの溶着リブと溝の形状などは限定されない。要は、インク容器と蓋との振動溶着時に、溶解した溶着リブの一部を溝内に入り込ませることができればよい。そのため溝は、少なくとも、振動溶着時の振動方向に沿って延在する溶着リブの部分の近傍位置に設けてもよく、あるいは、少なくとも、振動溶着時の振動方向と直交する方向に延在する溶着リブの部分の近傍位置に設けてもよい。また溝は、少なくとも、溶着リブよりもインク収容空間に近い位置、または溶着リブよりもインク収容空間から遠い位置の一方に設けてもよい。例えば、前述した実施形態のように溶着リブを四角枠状に設けて、その溶着リブの外側の近傍位置または内側の近傍位置の一方に溝を設けてもよい。
【図面の簡単な説明】
【００５４】
【図１】本発明の記録ヘッドを使用可能なインクジェット記録装置の概略構成図である。
【図２】（ａ），（ｂ）は、本発明の第１の実施形態の記録ヘッドを異なる方向から視た斜視図である。
【図３】（ａ）は、図２の記録ヘッドにおけるインク容器と記録素子基板の分解斜視図、（ｂ）は、図２の記録ヘッドにおけるインク容器と蓋の分解斜視図である。
【図４】図３（ａ）における記録素子基板の一部切欠きの斜視図である。
【図５】図３（ｂ）における蓋の裏面側の斜視図である。
【図６】（ａ）は、図２の記録ヘッドにおけるインク容器と蓋との振動溶着前の状態を説明するための拡大断面図、（ｂ）は、それらのインク容器と蓋との振動溶着後の状態を説明するための拡大断面図である。
【図７】（ａ）は、本発明の第２の実施形態の記録ヘッドにおけるインク容器と蓋との振動溶着前の状態を説明するための拡大断面図、（ｂ）は、それらのインク容器と蓋との振動溶着後の状態を説明するための拡大断面図である。
【図８】（ａ），（ｂ），（ｃ），（ｄ）は、本発明の第３の実施形態の記録ヘッドにおける蓋の異なる構成例を説明するための蓋の裏面図である。
【図９】本発明の第４の実施形態の記録ヘッドにおける蓋の裏面図である。
【図１０】（ａ）は、比較例としての記録ヘッドにおけるインク容器と蓋との振動溶着前の状態を説明するための拡大断面図、（ｂ）は、それらのインク容器と蓋との振動溶着後の状態を説明するための拡大断面図である。
【図１１】（ａ）は、比較例としての記録ヘッドにおけるインク容器と蓋との振動溶着前の状態を説明するための拡大断面図、（ｂ）は、それらのインク容器と蓋との振動溶着後の状態を説明するための拡大断面図である。
【符号の説明】
【００５５】
Ｈ１，Ｈ２    記録ヘッド
１１    インク容器
１２    蓋
２０    記録素子基板
３１    溶着リブ
３１Ａ    溶解部分
３２    溝
３４    開口縁部
【図１】
2009248427.tif 000003
【図２】
2009248427.tif 000004
【図３】
2009248427.tif 000005
【図４】
2009248427.tif 000006
【図５】
2009248427.tif 000007
【図６】
2009248427.tif 000008
【図７】
2009248427.tif 000009
【図８】
2009248427.tif 000010
【図９】
2009248427.tif 000011
【図１０】
2009248427.tif 000012
【図１１】
2009248427.tif 000013